(57)【要約】【課題】イルミネーター内部の光の乱反射により画像品質が低下するのを防止した反射型液晶表示装置を提供する。【解決手段】筐体１１の壁部１１ａに、偏光板９を透過した偏光成分Ｐ１を筐体１１の外部へ出射させるための開口部１３を設ける。偏光板９から出射され、筐体１１の壁部１１ａに向けて照射された偏光成分Ｐ１は、壁部１１ａに設けられた開口部１３をそのまま通り抜けて筐体１１の外部へと出射するため、偏光成分Ｐ１が壁部１１ａの表面で乱反射することは無い。従って、乱反射光（偏光成分Ｐ２）が液晶パネル１の画像に混入することは無く、色合いの変化やコントラストの低下が防止される。【選択図】図１
2013088747.tif 000002
【特許請求の範囲】
【請求項１】
透明電極を有する第一電極基板と反射電極を有する第二電極基板とを所定の間隔で周辺接着剤を介して貼り合わせることで形成された空間に液晶を封入してなる液晶パネルと、
当該液晶パネルに光を供給する光源と、
当該光源から出射された光のうち一方の偏光成分のみを透過させる偏光板と、
当該偏光板を透過した前記一方の偏光成分を前記液晶パネルに向けて反射すると共に、前記一方の偏光成分とは偏光方向が異なる他方の偏光成分を透過させるように配置された偏光ビームスプリッターと、
当該偏光ビームスプリッターを保持し、前記液晶パネルを覆うように配置された筐体とを備え、
前記液晶パネルの画像を前記偏光ビームスプリッターを透して観察するように構成された反射型液晶表示装置において、
前記筐体の壁部に、前記偏光板を透過した前記一方の偏光成分を前記筐体の外部へ出射させるための開口部を設けたことを特徴とする反射型液晶表示装置。
【請求項２】
前記開口部は、前記偏光板を透過した前記一方の偏光成分の前記偏光板からの出射方向と直交する方向に位置する前記筐体の壁部に設けられていることを特徴とする請求項１に記載の反射型液晶表示装置。
【請求項３】
前記開口部は、前記開口部を通して前記筐体の内部空間と連通する空洞を備えたカバー部材で塞がれていることを特徴とする請求項１又は２に記載の反射型液晶表示装置。
【請求項４】
前記カバー部材が備えた前記空洞の内面は、前記偏光板を透過した前記一方の偏光成分が当該空洞の内面で乱反射することで生じた他方の偏光成分を、前記偏光ビームスプリッター以外の領域に向けて反射する傾斜面とされていることを特徴とする請求項３に記載の反射型液晶表示装置。
【請求項５】
前記カバー部材が備えた前記空洞の内面は、前記偏光板を透過した前記一方の偏光成分が当該空洞の内面で乱反射することで生じた他方の偏光成分を、前記かバー部材が備えた前記空洞の他の内面又は前記開口部の周囲にある前記筐体の壁部に向けて反射する傾斜面とされていることを特徴とする請求項４に記載の反射型液晶表示装置。
【請求項６】
前記カバー部材が備えた前記空洞の内面は、前記偏光板を透過した前記一方の偏光成分が当該空洞の内面で乱反射することで生じた他方の偏光成分を、前記かバー部材が備えた前記空洞の他の内面又は前記開口部の周囲にある前記筐体の壁部に向けて集光させる曲面とされていることを特徴とする請求項５に記載の反射型液晶表示装置。
【発明の詳細な説明】
【技術分野】
【０００１】
本発明は反射型液晶表示装置に関するものである。
【背景技術】
【０００２】
反射型液晶表示パネルは、電子ビューファインダーなどに多く用いられ、近年では、民生用の小型デジタルカメラや業務用の大型高精細カメラなどに幅広く用いられている。
【０００３】
図５は従来の反射型液晶表示装置を示す断面図である。液晶パネル１は、第一電極基板２と第二電極基板３とが枠状の周辺接着剤４を介して接着されることで形成された隙間に液晶５が封入されてなる反射型液晶パネルで、第一電極基板２には透明電極（対向電極）と配向膜が形成され、第二電極基板３には反射電極（画素電極）と配向膜が形成されている。液晶パネル１は、回路基板６上に搭載されており、第一電極基板２と回路基板６とが導電接着剤を介して電気的に接続され、第二電極基板３と回路基板６とがボンディングワイヤーを介して電気的に接続されている。
【０００４】
回路基板６上には、光源７と拡散板８と偏光板９と偏光ビームスプリッター１０とをドーム態様の筐体１１に一体的に組み付けてなるイルミネーター１２が、液晶パネル１を覆うように搭載されている。偏光ビームスプリッター１０は、互いに直交する関係にある二種類の偏光成分Ｐ１、Ｐ２のうち何れか一方（偏光成分Ｐ２）のみを透過させ、他方（偏光成分Ｐ１）を反射する反射型偏光板で、偏光方向（偏光軸）の関係が偏光板９とクロスニコルの位置関係、即ち、互いに同じ偏光成分を透過させない位置関係となるように配置されている。
【０００５】
以上の反射型液晶表示装置において、光源７より出射された光は、拡散板８を通り面内の均一な光に分散された後、偏光板９を通ることで一方のみの偏光成分Ｐ１となり、偏光ビームスプリッター１０で反射されて液晶パネル１に照射される。液晶パネル１に照射された偏光成分Ｐ１は、第一電極基板２と液晶５を透過し、第二電極基板３上の反射電極に垂直に入射して逆方向へと反射される。逆方向へ反射された偏光成分Ｐ１は、液晶５と第一電極基板２を再度透過し、その過程で一部が他方の偏光成分Ｐ２へと変換され、偏光ビームスプリッター１０を透過して観察者の目に画像として表示される。（例えば、特許文献１〜２参照）
【先行技術文献】
【特許文献】
【０００６】
【特許文献１】特開２００３−１６１９１５
【特許文献２】特開２００４−１２７２３
【発明の概要】
【発明が解決しようとする課題】
【０００７】
図６は従来技術の問題点を説明するための反射型液晶表示装置の斜視面である。従来技術では、光源７より出射された光は、拡散板８を通り面内の均一な光に分散された後、偏光板９を通ることで何れか一方のみの偏光成分Ｐ１となり、偏光ビームスプリッター１０に向けて照射されるが、その際、偏光成分Ｐ１の一部は、筐体１１の壁部１１ａに照射され、その表面で乱反射して一部が他方の偏光成分Ｐ２へと変換される。偏光成分Ｐ２は、そのまま偏光ビームスプリッター１０を通り抜け、液晶パネル１の画像に混入し、色合いを変化させたり、コントラストを低下させたりする。
【０００８】
本発明は以上の問題点に鑑みてなされたもので、イルミネーター内部の光の乱反射により画像品質が低下するのを防止した反射型液晶表示装置を提供することを目的とする。
【課題を解決するための手段】
【０００９】
透明電極を有する第一電極基板と反射電極を有する第二電極基板とを所定の間隔で周辺接着剤を介して貼り合わせることで形成された空間に液晶を封入してなる液晶パネルと、当該液晶パネルに光を供給する光源と、当該光源から出射された光のうち一方の偏光成分のみを透過させる偏光板と、当該偏光板を透過した前記一方の偏光成分を前記液晶パネルに向けて反射すると共に、前記一方の偏光成分とは偏光方向が異なる他方の偏光成分を透過させるように配置された偏光ビームスプリッターと、当該偏光ビームスプリッターを保持し、前記液晶パネルを覆うように配置された筐体とを備え、前記液晶パネルの画像を前記偏光ビームスプリッターを透して観察するように構成された反射型液晶表示装置において、前記筐体の壁部に、前記偏光板を透過した前記一方の偏光成分を前記筐体の外部へ出射させるための開口部を設けた反射型液晶表示装置とする。
【００１０】
前記開口部は、前記偏光板を透過した前記一方の偏光成分の前記偏光板からの出射方向と直交する方向に位置する前記筐体の壁部に設けられている反射型液晶表示装置とする。
【００１１】
前記開口部は、前記開口部を通して前記筐体の内部空間と連通する空洞を備えたカバー部材で塞がれている反射型液晶表示装置とする。
【００１２】
前記カバー部材が備えた前記空洞の内面は、前記偏光板を透過した前記一方の偏光成分が当該空洞の内面で乱反射することで生じた他方の偏光成分を、前記偏光ビームスプリッター以外の領域に向けて反射する傾斜面とされている反射型液晶表示装置とする。
【００１３】
前記カバー部材が備えた前記空洞の内面は、前記偏光板を透過した前記一方の偏光成分が当該空洞の内面で乱反射することで生じた他方の偏光成分を、前記かバー部材が備えた前記空洞の他の内面又は前記開口部の周囲にある前記筐体の壁部に向けて反射する傾斜面とされている反射型液晶表示装置とする。
【００１４】
前記カバー部材が備えた前記空洞の内面は、前記偏光板を透過した前記一方の偏光成分が当該空洞の内面で乱反射することで生じた他方の偏光成分を、前記かバー部材が備えた前記空洞の他の内面又は前記開口部の周囲にある前記筐体の壁部に向けて集光させる曲面とされている反射型液晶表示装置とする。
【発明の効果】
【００１５】
本発明によると、光源より出射された光が筐体の壁部で乱反射するのを防止することができる。
【図面の簡単な説明】
【００１６】
【図１】本発明の反射型液晶表示装置を示す斜視図（実施例１）
【図２】反射型液晶表示装置が組み込まれるビューファインダーの一例を示す図
【図３】本発明の反射型液晶表示装置を示す斜視図（実施例２）
【図４】本発明の反射型液晶表示装置を示す部分斜視図（実施例３）
【図５】従来の反射型液晶表示装置を示す断面図
【図６】従来技術の問題点を説明するための反射型液晶表示装置の斜視図
【発明を実施するための形態】
【００１７】
以下、図を参照して本発明の実施形態について説明する。
【実施例１】
【００１８】
図１は本発明の反射型液晶表示装置を示す斜視図である。液晶パネル１は、第一電極基板２と第二電極基板３とが枠状の周辺接着剤４を介して接着されることで形成された隙間に液晶５が封入されてなる反射型液晶パネルで、第一電極基板２には透明電極（対向電極）と配向膜が形成され、第二電極基板３には反射電極（画素電極）と配向膜が形成されている。液晶パネル１は、回路基板６上に搭載されており、第一電極基板２と回路基板６とが導電接着剤を介して電気的に接続され、第二電極基板３と回路基板６とがボンディングワイヤーを介して電気的に接続されている。
【００１９】
回路基板６上には、光源７と拡散板８と偏光板９と偏光ビームスプリッター１０とをドーム態様の筐体１１に一体的に組み付けてなるイルミネーター１２が、液晶パネル１を覆うように搭載されている。偏光ビームスプリッター１０は、互いに直交する関係にある二種類の偏光成分Ｐ１、Ｐ２のうち何れか一方（偏光成分Ｐ２）のみを透過させ、他方（偏光成分Ｐ１）を反射する反射型偏光板で、偏光方向（偏光軸）の関係が偏光板９とクロスニコルの位置関係、即ち、互いに同じ偏光成分を透過させない位置関係となるように配置されている。ここまでの構成は、従来技術と同様である。
【００２０】
本実施例１の特徴は、筐体１１の壁部１１ａに、筐体１１の内部を外部に連通させる開口部１３を設けたことにある。開口部１３は、偏光板９からの光の出射方向と直交する方向において互いに対向する二つの壁部１１ａのそれぞれに、壁部１１ａの中央部を壁部１１ａの外形に沿ってくり抜くことで形成されている。尚、開口部１３は、何れか一方の壁部１１ａに設けられていても良い。
【００２１】
壁部１１ａに開口部１３を設けることにより、次のような作用が得られる。光源７から発せられた光は、拡散板８と偏光板９を通過し、その一部が筐体１１の壁部１１aに向かって照射されるが、その際、壁部１１ａには開口部１３が設けられていることから、照射された光（偏光成分Ｐ１）は、開口部１３を通して、そのまま壁部１１ａの本来の壁面位置を越えて筐体１１の外部へと出射する。従って、従来のように、壁部１１ａに向けて照射された光（偏光成分Ｐ１）が、壁部１１ａの表面で広い範囲に亘ってで乱反射することは無い。
【００２２】
図２は反射型液晶表示装置が組み込まれるビューファインダーの一例を示す図である。反射型液晶表示装置は、例えば、図２に示すようなビューファインダー１４の内部に収納されるが、通常、画像を観察するためのファインダー部などを除けば、内部には外部から光が侵入しない構造となっている。従って、反射型液晶表示装置の筐体１１に外部と連通する開口部１３を設けたとしても、開口部１３を通して外部から光が侵入することは無い。
【００２３】
また、それとは逆に、筐体１１に設けられた開口部１３を通して外部へ出射した光は、反射型液晶表示装置を収納するビューファインダーの筐体部分などに吸収されるが、仮にその光がビューファインダーの筐体部分などで反射されて、再び開口部１３を通して筐体１１の内部へ戻ってきたとしても、その過程で減衰しているため、筐体１１の壁部１１ａで反射した直後の光よりは、画像に与える影響が小さい。
【００２４】
尚、筐体１１の開口部１３を通して外部へ出射した光をビューファインダー１３の筐体部分などに確実に吸収させるために、ビューファインダー１３の筐体部分などにつや消し黒塗装などの反射防止処理をしておくのも有効である。
【実施例２】
【００２５】
図３は本発明の反射型液晶表示装置を示す斜視図である。以下、実施例１と同様の構成については説明を省略し、本実施例において特徴的な構成についてのみ詳細に説明する。
【００２６】
本実施例２の特徴は、壁部１１ａに設けられた開口部１３を塞ぐように、筐体１１の外部にカバー部材１５が取り付けられていることにある。カバー部材１５の内側は空洞となっており、開口部１３を通して筐体１１の内部空間と連通している。
【００２７】
本実施例２において、偏光板９から筐体１１の壁部１１aに向けて出射した偏光成分Ｐ１は、壁部１１ａに設けられた開口部１３を通過してカバー部材１５の空洞内に入り、カバー部材１５の側面１５ａで乱反射され、一部が偏光成分Ｐ２となって再び筐体１１の内部へと戻ってくる。しかし、カバー部材１５の側面１５ａは、光源７に対して壁部１１ａの本来の壁面位置よりも奥まった位置にあるため、その分、光源７から出射された光の光路が長くなり、偏光成分Ｐ２は筐体１１の内部へ戻ってくる間に減衰し、画像に与える影響が少なくなる。
【００２８】
また、カバー部材１５の側面１５ａで反射した光のうち、そこから上方に向かって急峻に立ち上がる光は、カバー部材１５の上面１５ｂに突き当たるため、偏光ビームスプリッター１０に直接入射することは無い。
【００２９】
更に、開口部１３の周囲にある壁部１１ａが遮蔽物となって、カバー部材１５の側面１５ａで反射した光が筐体１１の内部へ戻るのが防止される。
【００３０】
また、開口部１３は、カバー部材１５により塞がれているため、開口部１３を通して外部から光や塵が侵入することは無い。
【００３１】
尚、カバー部材１５の内面に黒色塗装などの反射防止処理を施しておけば、カバー部材１５の内部で光をより効率的に減衰させることができる。
【実施例３】
【００３２】
図４は本発明の反射型液晶表示装置を示す部分斜視図である。本実施例３は、実施例２の変形例であり、以下、実施例２と同様の構成については説明を省略し、本実施例において特徴的な構成についてのみ詳細に説明する。
【００３３】
本実施例３の特徴は、カバー部材１５の側面１５ａを偏光ビームスプリッター１０とは反対側に向けて傾斜する傾斜面としたことにある。尚、ここでは傾斜面を筐体１１の内部に向かって凹となる曲面としているが、平面的な傾斜面であっても良い。
【００３４】
傾斜面の傾斜角や曲率は、少なくとも、カバー部材１５の側面１５ａで反射した光（偏光成分Ｐ２）が偏光ビームスプリッター１０以外の領域に誘導されるように設定されており、本実施例２では、反射光（偏光成分Ｐ２）が、開口部１３周囲の壁部１１ａに向かうように設定されている。傾斜面の傾斜角や曲率は、反射光をどこへ向かわせるかに応じて適宜設定すれば良いが、反射光を筐体１１の内部へ再度入射させないようにする意味では、反射光を開口部１３周囲の壁部１１ａやカバー部材１５のその他の内面（上面や下面）に向けて反射するように設定されているのが好ましい。
【００３５】
カバー部材１５の側面１５ａをこのような傾斜面とすれば、カバー部材１５の側面１５ａで反射された光（偏光成分Ｐ２）を偏光ビームスプリッター１０から離れた領域へ誘導することができるため、偏光ビームスプリッター１０へ直接向かう光を減少させることができる。特に傾斜面が曲面であれば、反射光を特定の領域に集光させることで拡散を抑えることもできる。
【００３６】
尚、傾斜面とするのは、カバー部材１５の側面１５ａに限らず、上面や下面などのその他の内面であっても良い。
【００３７】
また、カバー部材１５の形状は、実施例２、３に示したものに限らず、開口部１３の形状などに応じて、その他の形状を採用することが可能である。
【００３８】
また、カバー部材１５は、筐体１１に別体として取り付けられたものに限らず、筐体１１と一体的に形成されたものであっても良い。
【００３９】
また、本発明において、筐体１１の壁部１１ａに設ける開口部１３の形状は、円形や四角形などのその他の形状であっても良い。
【００４０】
また、開口部１３は、壁部１１ａの一部をくり抜くことで形成されたものに限らず、壁部１１ａ自体を省略すること形成されたものであっても良い。
【００４１】
以上説明した本発明による反射型液晶表示装置は、あくまで実施例であり、本発明の主旨を逸脱しない範囲で種々の変更が可能である。例えば、光源７、拡散板８、偏光板９、偏光ビームスプリッター１０、液晶パネル１などの位置関係は、実施例に示したものに限らず、光学設計に応じて適宜変更され得るものである。また、拡散板８は、必須要素ではなく、省略することが可能である。また、液晶パネル１は、画素電極が反射電極で構成された反射型液晶パネルに限らず、画素電極が透明電極で構成された透過型液晶パネルであっても良い。
【符号の説明】
【００４２】
１      液晶パネル
２      第一電極基板
３      第二電極基板
４      周辺接着剤
５      液晶
６      回路基板
７      光源
８      拡散板
９      偏光板
１０    偏向ビームスプリッター（反射型偏光板）
１１    筐体
１１ａ  壁部
１２    イルミネーター
１３    開口部
１４    ビューファインダー
１５    カバー部材
１５ａ  側面
１５ｂ  上面
【図１】
2013088747.tif 000003
【図２】
2013088747.tif 000004
【図３】
2013088747.tif 000005
【図４】
2013088747.tif 000006
【図５】
2013088747.tif 000007
【図６】
2013088747.tif 000008